(57)【要約】      （修正有）【課題】トイレ空間とシャワー空間のような複数の空間を有し、カーテンで区画するサニタリールームにおいて、手摺などの器具の使用にカーテンが干渉しないようにする。【解決手段】シャワーカーテン７を吊下げているカーテンレール６の軌道を工夫し、主としてトイレ空間２とシャワー空間３とを区画するほぼ直線の第１の部分と、手摺３７４の手前でシャワー空間３側に弧を描く第２の部分と、奥の壁面５１に略平行な第３の部分とを備えて構成する。したがって、トイレ空間２の使用時には、束ねた（開けた）カーテン７は、手摺３７４の設置位置を所定長さだけ超えて延設された第３の部分に収容され、フック６４で押えられているので、手摺３７４の使用にカーテン７が障害となることはない（干渉しない）。【選択図】図１
2015202175.tif 000002
【特許請求の範囲】
【請求項１】
サニタリールームにおける空間を区画し、他方の空間への水の飛散を防止するために、両空間の間を開閉自在に区画するカーテンの構造において、
前記両空間の境界付近の壁面には、室内方向に突出し、少なくとも一方の空間の使用中に使用可能な予め定める器具が設置されており、
前記カーテンを吊下げるカーテンレールは、
前記両空間の境界付近に敷設され、吊下げたカーテンが、一端側から、前記壁面付近の他端側に向けて開放するように案内する第１の部分と、
前記第１の部分の他端側から延設されて、前記壁面の手前で、他方の空間の側に弧を描く第２の部分と、
前記第２の部分の第１の部分とは反対側の端部から、前記壁面と所定間隔を開けて延設される第３の部分とを含み、
前記第３の部分は、前記器具の設置位置を所定長さだけ超えて延設され、その所定長さの部分で、束ねたカーテンを収容することを特徴とするサニタリールームにおけるカーテン構造。
【請求項２】
前記一方の空間はトイレ空間であり、前記他方の空間はバスまたはシャワー空間であることを特徴とする請求項１記載のサニタリールームにおけるカーテン構造。
【請求項３】
前記予め定める器具は、手摺であることを特徴とする請求項２記載のサニタリールームにおけるカーテン構造。
【請求項４】
前記カーテンは、前記束ねられる側の端部付近において、下部および中央部付近にマグネットが設けられており、
前記壁面は、磁性材料から成ることを特徴とする請求項１〜３の何れか１項に記載のサニタリールームにおけるカーテン構造。
【請求項５】
前記マグネットにはネオジム磁石を用い、その表面に粉体塗装処理を施すことを特徴とする請求項４記載のサニタリールームにおけるカーテン構造。
【発明の詳細な説明】
【技術分野】
【０００１】
本発明は、サニタリールームにおいて、所謂シャワーカーテンなどとして用いられるカーテンの、特に引回しの構造に関する。
【背景技術】
【０００２】
たとえばユニット式のサニタリールームにおいて、従来から、水の飛散を防止するために、前記シャワーカーテンが用いられている。そのシャワーカーテンで区画されるのは、たとえば、一方の空間であるトイレ空間と、他方の空間であるバス（洗い場）またはシャワー空間とである。そして、前記シャワーカーテンが水の飛散を防止していることで、特にトイレ空間の床が水浸しになったり、トイレットペーパーが水濡れしたりすることを防止している。
【０００３】
このシャワーカーテンは、天井付近に敷設されたカーテンレールを摺動する複数の吊り具から吊下げされている。そして、特許文献１や特許文献２で示されるように、シャワーカーテンは、通常、サニタリールームの奥の壁面付近に束ねられており、使用時は、その一端が、該サニタリールームの入口側等へ引き寄せられることで、前記２つの空間を区画する。特許文献１は、水圧でシャワーカーテンがトイレ空間側に押し込まれないように、該シャワーカーテンに、その鉛直方向に延びる補剛材と称される棒を、所定間隔で設けている。
【先行技術文献】
【特許文献】
【０００４】
【特許文献１】特開２００３−１３５２６２号公報
【特許文献２】特開平８−２５４０２８号公報
【発明の概要】
【発明が解決しようとする課題】
【０００５】
このようなサニタリールームにも、バリアフリー対策が進んでおり、たとえば使用者の便座への着座や立ち上がりの補助などのために、手摺が設けられるようになっている。このような手摺は、特に高齢者施設や病院などで利用される場合、使用者の安全性に大きく寄与する。また、前記サニタリールームは、元々、狭小なスペースに、サニタリー（衛生）のための機器が複数詰め込まれている。したがって、サニタリールーム内には、多数の器具が突起物として設けられることになる。なお、その器具としては、常設であったり、適宜付け替え（移設）や交換が可能であったり、格納式であったりするが、本発明が考慮するのは、サニタリールーム内に突出する器具である。
【０００６】
一方、たとえば車椅子やシャワーキャリーを使用する場合、回転半径として一定のスペースを必要とする。たとえば、キャリー種によるが、およそ直径８００ｍｍ程度の円形スペースである。そのため、カーテンを広く開けて、重複するスペースを活用する必要がある。そこで、実際にシャワーが使用されるまでは、両方に重なる空間を入口側に広く開放し、カーテンは、奥に束ねられて邪魔にならないことが重要である。
【０００７】
しかしながら、従来からのシャワーカーテンにおけるカーテンレールの引き回し構造では、カーテンは２つの空間の間を区画し、そのまま上述のように奥の壁に束ねられるので、壁側に設けられている手摺を使用する際に、障害（干渉）となってしまうという問題がある。或いは、そのような障害（干渉）を避けるために、前記手摺などの器具の取付け位置に制限を生じたり、理想の位置に取付けられなかったりするという問題がある。
【０００８】
本発明の目的は、壁面設置の器具の使用に障害が生じることなく、カーテンを束ね、壁側に固定することができるサニタリールームにおけるカーテン構造を提供することである。
【課題を解決するための手段】
【０００９】
本発明のサニタリールームにおけるカーテン構造は、サニタリールームにおける空間を区画し、他方の空間への水の飛散を防止するために、両空間の間を開閉自在に区画するカーテンの構造において、前記両空間の境界付近の壁面には、室内方向に突出し、少なくとも一方の空間の使用中に使用可能な予め定める器具が設置されており、前記カーテンを吊下げるカーテンレールは、前記両空間の境界付近に敷設され、吊下げたカーテンが、一端側から、前記壁面付近の他端側に向けて開放するように案内する第１の部分と、前記第１の部分の他端側から延設されて、前記壁面の手前で、他方の空間の側に弧を描く第２の部分と、前記第２の部分の第１の部分とは反対側の端部から、前記壁面と所定間隔を開けて延設される第３の部分とを含み、前記第３の部分は、前記器具の設置位置を所定長さだけ超えて延設され、その所定長さの部分で、束ねたカーテンを収容することを特徴とする。
【００１０】
上記の構成によれば、たとえばトイレ空間と、バスまたはシャワー空間とを一体化したユニット式のサニタリールームとして好適に実施されるサニタリールームにおいて、たとえばシャワー水や、掃除の水などが他方の空間へ飛散し、たとえばトイレ空間側の床やトイレットペーパーが水濡れしたりすることを防止するために、両空間の間には、開閉自在に区画する、所謂シャワーカーテンが設けられており、かつ両空間の境界付近の壁面に、室内方向に突出し、少なくとも一方の空間の使用中に使用可能な手摺などの予め定める器具が設置されている場合に、前記カーテンの引き回しを工夫する。
【００１１】
詳しくは、前記カーテンを吊下げるカーテンレールを、前記両空間の境界付近に敷設され、吊下げたカーテンが、一端側から、前記壁面付近の他端側に向けて開放するように案内する第１の部分と、前記第１の部分の他端側から延設されて、前記壁面の手前で、他方の空間の側に弧を描く第２の部分と、前記第２の部分の第１の部分とは反対側の端部から、前記壁面と所定間隔を開けて延設される第３の部分とを備えて構成する。そして、前記第３の部分を、前記器具の設置位置を所定長さだけ超えて延設しておき、その所定長さの部分で、束ねた（開けた）カーテンを収容する。つまり、壁面に手摺などの、少なくとも一方の空間から使用される器具があり、カーテンを束ねてしまうと、そのカーテンが邪魔になって器具の使用が困難になる場合に、カーテンレールを、その干渉器具の手前で曲げて、さらにその器具の先まで延長し、延長した部分で、束ねた（開けた）カーテンを収容する。
【００１２】
したがって、曲げない側の前記一方の空間から、障害無く器具を使用することができるとともに、カーテンを束ね、壁側に固定することができる。
【００１３】
また、本発明のサニタリールームにおけるカーテン構造では、前記一方の空間はトイレ空間であり、前記他方の空間はバスまたはシャワー空間であることを特徴とする。
【００１４】
上記の構成によれば、特にシャワー水のトイレ空間側への飛散を防止し、トイレ空間の床やトイレットペーパーが水濡れしたりすることを防止しつつ、トイレ空間側から、手摺などの器具を障害無く、使用することができる。
【００１５】
さらにまた、本発明のサニタリールームにおけるカーテン構造では、前記予め定める器具は、手摺であることを特徴とする。
【００１６】
上記の構成によれば、カーテンを束ねても、トイレ空間側から、障害無く、手摺を使用することができる。
【００１７】
また、本発明のサニタリールームにおけるカーテン構造では、前記カーテンは、前記束ねられる側の端部付近において、下部および中央部付近にマグネットが設けられており、前記壁面は、磁性材料から成ることを特徴とする。
【００１８】
上記の構成によれば、マグネットの磁性を用いることで、カーテンの端部と壁面との間の隙間を防ぐことができる。
【００１９】
さらにまた、本発明のサニタリールームにおけるカーテン構造では、前記マグネットにはネオジム磁石を用い、その表面に粉体塗装処理を施すことを特徴とする。
【００２０】
上記の構成によれば、ネオジム磁石は機械的強度に優れ、かつ最も高い磁気エネルギーを有するので、カーテンの端部を壁面に固定するのに好適であり、その表面に粉体塗装処理を施すことで、水濡れに対する錆の防止効果を得ることができる。
【発明の効果】
【００２１】
本発明のサニタリールームにおけるカーテン構造は、以上のように、サニタリールームにおける空間を区画し、水の飛散を防止するカーテンの構造において、２つの空間の境界付近の壁面に、室内方向に突出し、少なくとも一方の空間の使用中に使用可能な手摺などの予め定める器具が設置されている場合に、前記カーテンの引き回しを工夫し、前記壁面に向けて延びるカーテンレールを、壁面付近で他方の空間側へ曲げ、その後、器具の設置位置を所定長さだけ超えて延設し、その所定長さの部分で、束ねた（開けた）カーテンを収容する。
【００２２】
それゆえ、器具の使用に障害が生じることなく、カーテンを束ね、壁側に固定することができる。
【図面の簡単な説明】
【００２３】
【図１】本発明の実施の一形態に係るカーテン構造を採用するサニタリールームの平面図である。
【図２】従来例のカーテン構造を採用するサニタリールームの平面図である。
【図３】本発明の実施の一形態に係るカーテンレールの図である。
【図４】カーテンの側面図である。
【図５】他のサニタリールームの平面図である。
【図６】さらに他のサニタリールームの平面図である。
【発明を実施するための最良の形態】
【００２４】
図１は、本発明の実施の一形態に係るカーテン構造を採用するサニタリールーム１の平面図である。このサニタリールーム１は、トイレ空間２とシャワー空間３とが一体で構成されているユニット式のサニタリールームである。この図１の例では、入口４は３枚の引き戸４１〜４３で構成されており、左右何れの方向にも引き寄せることが可能になっている。たとえば、入口４から向かって右側のシャワー空間３側を開放する場合、開放した際の引き戸４１〜４３は、向かって左側のトイレ空間２側で前後に重ね合わせて収納されることになる。
【００２５】
トイレ空間２側では、奥の壁面５１および左の壁面５２に対して、４５度の角度で便器２１が設置されており、該便器２１を挟んで、使用者が、左右いずれからもアプローチし易い構造となっている。便器２１の後方には水タンク２２が設けられており、その上方には照明器具２３が、天井には排気ダクト２４が、それぞれ設けられている。壁面５２には、壁面設置で、かつ該サニタリールーム１側に突出する器具として、下方にはトイレットペーパーのホルダー２５が、および上方には予備のトイレットペーパー等を載置する荷棚２６が設けられている。そして、便器２１の周囲にも、前記の器具として、水平に延びる左右の手摺２７１，２７２および後方の手摺２７３、それらの手摺２７１，２７２を壁面５２，５１に固定する支持部材２７４，２７５が設けられるとともに、入口４側には、上下に延びる手摺２７６が設けられている。
【００２６】
シャワー空間３側では、奥の壁面５１には、水栓３１、およびその水栓で水温や水量が調整されたシャワー水を噴出するノズル３２が設置されるとともに、石鹸等のテーブル３３，３４が適宜設けられている。また、壁面５１において、前記水栓３１の上方には、図示しない鏡や照明器具３５などが設けられている。このシャワー空間３においても、奥の壁面５１において、水栓３１の上方には水平に延びる手摺３７１が、鏡の両側には上下に延びる手摺３７２，３７３が、トイレ空間２との境界付近には上下に延びる手摺３７４が、それぞれ設けられるとともに、右の壁面５３には、水平に延びる手摺３７５、および入口４側の上下に延びる手摺３７６が設けられている。
【００２７】
そして、清掃や水捌けの面で、トイレ空間２およびシャワー空間３の床面には、適宜の傾斜や段差が設けられるとともに、それらの境界には排水溝５４が設けられ、その排水溝５４の奥側で、シャワー空間３側には、排水会所５５が設けられている。
【００２８】
このように構成され、トイレ空間２とシャワー空間３と言う２つの用途を有し、かつ狭小なユニット式のサニタリールーム１において、前記２つの用途のための空間を区画するためのシャワーカーテン７を開閉自在に吊下げているカーテンレール６の軌道（形状）に、本発明は特徴を有する。このシャワーカーテン７が設けられていることで、たとえばシャワー水や石鹸水がトイレ空間２側に飛散して、床が水浸しになったり、便器２１に水が掛かったりして、余計な掃除が必要になったり、トイレットペーパーが水濡れしたりすることを防止することができる。一方、シャワー空間３側でも、トイレ空間２側の掃除の水などが流れ込むことを防止することができる。
【００２９】
そして、カーテンレール６の軌道が、図２で示す特許文献１や特許文献２のような、トイレ空間２とシャワー空間３とを単純に区画する直線の軌道だけではなく、前記２つの空間２，３が並ぶ奥の壁面５１側で、少なくともトイレ空間２の使用時に使用され、前記２つの空間２，３の境界付近に設置される突起物である手摺３７４の使用に、カーテン７が障害とならない（干渉しない）ような弧を描く軌道を有し、カーテン７を束ね（開け）られるようにしている。
【００３０】
図３は、カーテンレール６の図であり、（ａ）は下方から見上げた底面図であり、（ｂ）は軸直角断面図である。図３（ｂ）で示すように、カーテンレール６は、大略的に下方に開放したコの字の断面を有し、そのコの字の両片の先端が内側に折り返されて、吊り具を摺動自在に案内する。
【００３１】
図３（ａ）を参照して、カーテンレール６の軌道を詳しく説明する。本実施形態のカーテンレール６は、主としてトイレ空間２とシャワー空間３とを区画し、両空間の境界付近に敷設されるほぼ直線の第１の部分６１と、前記弧を描く第２の部分６２と、奥の壁面５１に略平行な第３の部分６３とを備えて構成される。なお、第１の部分６１は、便器２１の形状、壁面５２の形状および器具の設置状況などに応じて、必ずしも直線に形成されなくてもよい。また、トイレ空間２とシャワー空間３との境界は厳密に規定されている訳ではなく、実際には、前述の車椅子やシャワーキャリーの回転半径のように、トイレ空間２の使用時には、カーテン７が開放されて、シャワー空間３の一部もトイレ空間２として使用（共用）され、カーテン７を閉めることで、シャワー空間３とトイレ空間２とが区画され、両空間の境界がほぼ規定されることになる。したがって、境界は必ずしも排水溝５４などと一致していなくてもよく、カーテン７も、その明確でない境界付近に設けられることになる。
【００３２】
本実施形態のカーテンレール６で注目すべきは、第１の部分６１は、吊下げたカーテンを、入口４側の一端６１１から、奥の壁面５１付近の他端６１２側に向けて開放するように案内し、第２の部分６２は、第１の部分６１の他端６１２側から延設されて、壁面５１の手前で、シャワー空間３側に弧を描き、第３の部分６３は、第２の部分６２の第１の部分６１とは反対側の端部６２２から、壁面５１と所定間隔を開けて略平行に沿って延設され、さらに該第３の部分６３は、手摺３７４の設置位置を所定長さだけ超えて延設され、その所定長さの部分で、束ねた（開けた）カーテンを収容することである。
【００３３】
第２の部分６２は、図１や図３のような円弧に限らず、曲率が変化してゆく曲線であってもよく、或いはカーテン７の吊具が通過できれば、折れ曲がっていてもよい。また、図１や図３の例では、第１の部分６１と第３の部分６３とは直交しているので、該第２の部分６２は９０度の弧を描いているが、他の交差角であってもよい。さらに、第２の部分６２の端部６２２から第３の部分６３は、前記所定間隔として、たとえば手摺３７１の先端（高さ）から２０ｍｍ程度離れるように敷設される。したがって、たとえば手摺３７１の高さを７０ｍｍとすると、該第２の部分６２の端部６２２から第３の部分６３は、壁面５１から９０ｍｍ程度離れて敷設される。また、第３の部分６３における前記所定長さは、少なくとも束ねた（開けた）カーテンを収容することができる長さであり、第２の部分６２で手摺３７４を充分に回避できていれば、この第３の部分６３は、束ねた（開けた）カーテンを収容できる長さだけに形成されてもよい。
【００３４】
その束ねた（開けた）カーテンを壁面５１に固定するために、フック６４が設けられている。フック６４は、アーチ状に湾曲され、一端が壁面５１に固定された回転支持部６５によって、鉛直軸線回りに揺動自在となっている。フック６４を室内側に倒した後、束ねられた（開けられた）カーテンが該フック６４の内側に挟み込まれ、フック６４を壁面５１側に倒すことで、壁面５１とフック６４との間で、カーテンが束ねられた状態で保持される。
【００３５】
カーテンレール６の両端６１１，６３２部には、マグネットランナーが嵌め込まれており、吊り具を吸着する。また、カーテンレール６の適宜の箇所は、サニタリールーム１の天井に固定される。その天井への固定が、該カーテンレール６の天面が直接サニタリールーム１の天井にねじ止めされて行われてもよく、或いはサニタリールーム１の天井から吊下げられた支柱に、該カーテンレール６が支持されて行われてもよい。
【００３６】
以上のように、トイレ空間２とシャワー空間３とを区画するカーテンを吊下げるカーテンレール６の軌跡を、ほぼ直線の第１の部分６１の壁面５１側で、略該第１の部分６１の延長線上に位置する手摺３７４を避けるように、第２の部分６２によって、該手摺３７４が主に使用されるトイレ空間２とは反対側のシャワー空間３側に弧を描かせ、さらに第３の部分６３を延長して、この第３の部分６３で束ねたカーテンを保持するので、トイレ空間２の便器２１を使用する使用者は、障害無く、つまりカーテン７に遮られることなく、手摺３７４を使用することができるとともに、カーテンを束ね、壁側５１に固定することができる。
【００３７】
そして、束ねたカーテンをフック６４で保持することで、カーテンを広く開けて、トイレ空間２とシャワー空間３との境界付近に重複するスペースを活用することができる。また、手摺３７４の設置位置は理想位置に設定することができ、使用者は、たとえば立ち座りの動作や横移動などの姿勢を保持するための動作が容易に行えるようになり、使用者に手摺３７４の利用を促すことができる。こうして、特に高齢者施設や病院において想定される利用者にとって、空間の使い勝手を良くすることができる。
【００３８】
この点、図２で示す従来例では、フック６４でカーテン７を束ねると、壁面５１の手前に、参照符号７０で示すようにカーテン７の束が存在し、便器２１を使用する使用者が、手摺３７４を使用する際の障害となる（干渉する）。なお、図２の構成において、図１の構成に類似し、対応する部分には同一の参照符号を付して、その説明を省略する。
【００３９】
ここで、手摺２７１，２７２，２７３，２７６，３７４について説明する。使用者の体の左右どちらに麻痺が生じているかなどに応じて、これらの手摺２７１，２７２，２７３，２７６，３７４が適宜組合わせて使用される。便器２１の両側の手摺２７１，２７２は、支持部材２７４，２７５によって、揺動（開閉）および固定可能に支持されている。そして、便器２１の向かって左側から使用者が着座する場合は、手摺２７１が広げられ、使用者は手摺２７６から２７１さらに２７３から２７２を使用して着座する。反対に、便器２１の向かって右側から使用者が着座する場合は、手摺２７２が広げられ、使用者は手摺３７４から２７２さらに２７３から２７１を使用して着座する。この右側から着座したり立ち上がったりする際に、図２の従来例では、束ねられたカーテン７０が障害となる（干渉する）。
【００４０】
図４は、カーテン７の側面図である。カーテン７の上部は、適宜設けられた吊り具７１によって、カーテンレール６に吊下げられる。そして、トイレ空間２とシャワー空間３とを区画し、またそれらの間を開放するために、適宜折り畳み可能となっている。その折り畳みは、布地が蛇腹状に緩やかに屈曲することで実現されてもよく、あるいは襞で鋸歯状に折り曲げられて実現されてもよい。図４では、裾側で広がる襞７２が表現されている。
【００４１】
さらに、カーテン７の束ねられる側、すなわち第３の部分６３側の端部７３付近において、下部および中央部付近には、それぞれマグネット７４，７５が設けられており、壁面５１は、磁性材料から構成される。たとえば、カーテン７の全長は２．１ｍであり、中央部付近のマグネット７５は上から６０ｃｍ程度の位置に設けられ、下部付近のマグネット７４は裾上５ｃｍ程度に２つ設けられている。
【００４２】
したがって、カーテン７を閉じた（引いた）状態では、端部７３は、マグネット７４，７５によって、壁面５３にほぼ密着し、飛散水の浸入を一層抑えることができる。また、カーテン７の裾部は、袋状に形成されており、その袋内には重し７６が縫い込められており、シャワー水圧などによるカーテン７の撓みが抑えられている。
【００４３】
さらに、前記マグネット７４，７５にはネオジム磁石を用い、その表面には粉体塗装処理が施されている。したがって、ネオジム磁石は機械的強度に優れ、かつ最も高い磁気エネルギーを有するので、小さな磁石で、カーテン７の端部７３を壁面５１に確実に固定でき、好適である。また、ネオジム磁石が有する錆びに対する脆弱性に対しては、その表面に粉体塗装処理を施すことで、飛散水の水濡れに対する錆の防止効果を得ることができ、また水洗いも可能になる。なお、ネオジム磁石の防錆対策には、樹脂封止などの他の手法が用いられてもよい。
【００４４】
マグネット７４，７５のカーテン７の端部７３への取付けは、たとえば布地のカーテン７と同種の布で四方を縫い付けたポケットを形成し、そのポケットの内部にマグネット７４，７５を収納することで行うことができる。なお、縫い目は水を通すので、ポケット内への洗浄水の浸入はありえるが、浸入した後、滞留せずその水は抜ける構造となっており、さらに上記のようにマグネット７４，７５の錆止めが行われているので、前記ポケットの入口も縫い付けておくことで、マグネット７４，７５の紛失の可能性はほぼ無くなる。これによって、たとえば洗濯機等での洗濯も可能になり、カーテン７の手入れの手間を省くことができる。
【００４５】
図５および図６に、他のサニタリールーム１ａ，１ｂの構造を示す。図５および図６において、図１の構成に類似し、対応する部分には同一の参照符号を付して、その説明を省略する。図５のサニタリールーム１ａも、トイレ空間２ａとシャワー空間３ａとが一体で構成されているユニット式のサニタリールームである。そして、便器２１の取付けが、左側の壁面５２と平行、したがって奥の壁面５１と直角になっている。水栓３１およびシャワー３２は、右側の壁面５３に取付けられる。このような構造では、シャワー空間３ａ側を広く取ることができ、壁面５１には、特に独歩が可能な使用者に好適な、つたい手摺３７７を設置することができる。そして、カーテンレール６ａは、第３の部分６３が、前記のつたい手摺３７７の先まで延長されている。
【００４６】
一方、図６のサニタリールーム１ｂは、浴室３ｂの洗い場空間に、トイレ空間２ｂとシャワー３２とが設けられており、トイレ空間２ｂの周囲がシャワーカーテン７で間仕切られるようになっている。このサニタリールーム１ｂは、奥行きが深く、奥の壁面５１側には、バスタブ８が設置されている。そして、トイレ空間２ｂは、手前側で、その奥の壁面５１と平行に設置され、水栓３１およびシャワー３２は、右側の壁面５３に取付けられ、浴室３ｂの手前側が、洗い場を兼ねたシャワー空間となっている。
【００４７】
このサニタリールーム１ｂの場合、カーテンレール６ｂは、入口４から便器２１の手前を横切って奥側に延びる第１の部分６１に続けて、壁面５２側に９０度弧を描く第４の部分６８が形成され、さらに便器２１の側部を通る第５の部分６９に連なり、壁面５２の手前で９０度弧を描く前記の第２の部分６２に連なり、長い直線の第３の部分６３へと連なる。フック６４は、壁面５２の壁面５１付近に設けられる。したがって、カーテン７は、バスボード８１を超えた、介助者が入り込むスペース８２に収納される。このような構造のサニタリールーム１ｂでも、カーテン７が手摺３７４の使用の際の障害となることを防止することができる。
【符号の説明】
【００４８】
１    サニタリールーム
２    トイレ空間
２１    便器
２７１，２７２，２７３，２７６    手摺
２７４，２７５    支持部材
３    シャワー空間
３１    水栓
３２    ノズル
３７１，３７２，３７３，３７４，３７５，３７６    手摺
４    入口
４１〜４３    引き戸
５１〜５３    壁面
６，６ａ，６ｂ    カーテンレール
６１    第１の部分
６２    第２の部分
６３    第３の部分
６４    フック
６８    第４の部分
６９    第５の部分
７，７ａ，７ｂ    シャワーカーテン
７０    カーテンの束
【図１】
2015202175.tif 000003
【図２】
2015202175.tif 000004
【図３】
2015202175.tif 000005
【図４】
2015202175.tif 000006
【図５】
2015202175.tif 000007
【図６】
2015202175.tif 000008